(57)【要約】【課題】配信された電子チラシの中から閲覧対象とする電子チラシを簡易な操作により分別する。【解決手段】端末装置４の記憶部４３は、送受信部４２が受信した複数の広告データを記憶する。分類作業画面表示制御部４４１は、記憶部４３から広告データのうち所定数の広告データを読み出して表示画面４０の分類作業領域に表示させる。操作受付部４５が、表示画面４０の分類作業領域に表示にされている広告データに対する分類操作を受けた場合、分類作業画面表示制御部４４１は、分類操作により分類された広告データの表示を表示画面４０の分類作業領域から削除し、記憶部４３に記憶されている未分類かつ未分類の広告データを読み出して表示画面４０の分類作業領域に追加表示する。【選択図】図５
2014178870.tif 000002
【特許請求の範囲】
【請求項１】
画像を表示する表示部と、
複数の広告データを受信する受信部と、
前記受信部によって受信された複数の前記広告データを記憶する記憶部と、
ユーザによる操作を受け付ける操作受付部と、
前記記憶部に記憶された前記広告データのうち所定数の広告データを前記表示部の分類作業領域に表示させ、前記分類作業領域に表示されている前記広告データに対する分類操作を前記操作受付部が受けた場合に、前記分類操作により分類された前記広告データの表示を前記分類作業領域から削除し、前記記憶部に記憶されている未分類かつ未表示の前記広告データを前記分類作業領域に追加表示する分類作業画面表示制御部と、
を備えることを特徴とする端末装置。
【請求項２】
前記記憶部は、複数の前記広告データそれぞれの表示優先度をさらに記憶しており、
前記分類作業画面表示制御部は、前記記憶部に記憶された前記広告データのうち前記表示優先度が高いものから所定数の広告データを前記表示部の前記分類作業領域に表示させ、前記分類作業領域に表示されている前記広告データに対する分類操作を前記操作受付部が受けた場合に、前記分類操作により分類された前記広告データの表示を前記分類作業領域から削除し、前記記憶部に記憶されている未分類かつ未表示の前記広告データの中で最も表示優先度が高い前記広告データを前記分類作業領域に追加表示する、
ことを特徴とする請求項１に記載の端末装置。
【請求項３】
前記分類作業画面表示制御部は、前記記憶部に記憶された前記広告データのうち所定数の広告データを前記表示部の前記分類作業領域に重ねて表示させ、前記分類作業領域に表示されている前記広告データに対する分類操作を前記操作受付部が受けた場合に、前記分類操作により分類された前記広告データの表示を前記分類作業領域から削除し、前記記憶部に記憶されている未分類かつ未表示の前記広告データを、表示されている前記広告データよりも重なりが後ろになるように前記分類作業領域に追加表示する、
ことを特徴とする請求項１または請求項２に記載の端末装置。
【請求項４】
前記分類作業画面表示制御部は、前記広告データそれぞれの前記分類作業領域における初期表示位置をランダムとする、
ことを特徴とする請求項１から請求項３のいずれか１項に記載の端末装置。
【請求項５】
前記分類作業画面表示制御部は、前記分類作業領域に一度に表示させる複数の前記広告データを、当該広告データの前記表示優先度に基づく順序の表示位置に表示する、
ことを特徴とする請求項２に記載の端末装置。
【請求項６】
前記広告データには、広告実施店舗に関する情報を示す表示店舗情報が付加されており、
前記分類作業画面表示制御部は、前記分類作業領域に表示されている前記広告データに対する選択操作を前記操作受付部が受けた場合に、前記選択操作により選択された前記広告データに付加されている前記表示店舗情報を前記表示部に表示させる、
ことを特徴とする請求項１から請求項５のいずれか１項に記載の端末装置。
【請求項７】
前記操作受付部が受けた前記分類操作により分類された前記広告データを１つずつ前記表示部に表示させる分類結果表示制御部をさらに備える、
ことを特徴とする請求項１から請求項６のいずれか１項に記載の端末装置。
【請求項８】
画像を表示する表示部とユーザによる操作を受け付ける操作受付部とを備えた端末装置が実行する広告表示方法であって、
受信部が、複数の広告データを受信する受信ステップと、
記憶部が、前記受信ステップによって受信された複数の前記広告データを記憶する記憶ステップと、
分類作業画面表示制御部が、前記記憶部に記憶された前記広告データのうち所定数の広告データを前記表示部の分類作業領域に表示させ、前記分類作業領域に表示されている前記広告データに対する分類操作を前記操作受付部が受けた場合に、前記分類操作により分類された前記広告データの表示を前記分類作業領域から削除し、前記記憶部に記憶されている未分類かつ未表示の前記広告データを前記分類作業領域に追加表示する表示ステップと、
を有することを特徴とする広告表示方法。
【請求項９】
画像を表示する表示部とユーザによる操作を受け付ける操作受付部とを備えたコンピュータを、
複数の広告データを受信する受信部、
前記受信部によって受信された複数の前記広告データを記憶する記憶部、
前記記憶部に記憶された前記広告データのうち所定数の広告データを前記表示部の分類作業領域に表示させ、前記分類作業領域に表示されている前記広告データに対する分類操作を前記操作受付部が受けた場合に、前記分類操作により分類された前記広告データの表示を前記分類作業領域から削除し、前記記憶部に記憶されている未分類かつ未表示の前記広告データを前記分類作業領域に追加表示する分類作業画面表示制御部、
として機能させるプログラム。
【発明の詳細な説明】
【技術分野】
【０００１】
本発明は、端末装置、広告表示方法、及びプログラムに関する。
【背景技術】
【０００２】
現在、スーパーマーケット、家電製品の量販店等の店舗では、広告の媒体として、新聞等と一緒に配達される折り込みチラシを利用している。また、印刷物である折り込みチラシの他に、広告情報を電子化し、電子チラシとしてネットワークを介して配信するサービスも利用されている。例えば、広告とコンテンツとを含むウェブページを生成して端末装置に送信するシステムが開示されている（例えば、特許文献１参照）。
【先行技術文献】
【特許文献】
【０００３】
【特許文献１】特開２００８−０４６９８７号公報
【発明の概要】
【発明が解決しようとする課題】
【０００４】
ユーザは、端末装置に配信された電子チラシのうち興味を惹く電子チラシのみを閲覧することが多い。そこで、配信された個々の電子チラシが自らとって有用な電子チラシであるかの分別を行い、有用と分別した電子チラシを後から閲覧することが考えられる。しかし、分別を行うためには、各電子チラシに関する情報を確認する必要がある。配信された電子チラシの数が多い場合、分別の参考となる情報を読んで確認するのは煩雑な作業であり、また、その情報を１画面に表示しきれないときには、画面スクロールなどの操作を行わなければならない。
【０００５】
本発明は、このような事情を考慮してなされたもので、ユーザが、配信された電子チラシの中から閲覧対象とする電子チラシの分別を容易に行うことができる端末装置、広告表示方法、及びプログラムを提供する。
【課題を解決するための手段】
【０００６】
上記目的を達成するために、請求項１に記載の発明は、画像を表示する表示部と、複数の広告データを受信する受信部と、前記受信部によって受信された複数の前記広告データを記憶する記憶部と、ユーザによる操作を受け付ける操作受付部と、前記記憶部に記憶された前記広告データのうち所定数の広告データを前記表示部の分類作業領域に表示させ、前記分類作業領域に表示されている前記広告データに対する分類操作を前記操作受付部が受けた場合に、前記分類操作により分類された前記広告データの表示を前記分類作業領域から削除し、前記記憶部に記憶されている未分類かつ未表示の前記広告データを前記分類作業領域に追加表示する分類作業画面表示制御部と、を備えることを特徴とする端末装置である。
【０００７】
また、請求項２に記載の発明は、請求項１に記載の端末装置であって、前記記憶部は、複数の前記広告データそれぞれの表示優先度をさらに記憶しており、前記分類作業画面表示制御部は、前記記憶部に記憶された前記広告データのうち前記表示優先度が高いものから所定数の広告データを前記表示部の前記分類作業領域に表示させ、前記分類作業領域に表示されている前記広告データに対する分類操作を前記操作受付部が受けた場合に、前記分類操作により分類された前記広告データの表示を前記分類作業領域から削除し、前記記憶部に記憶されている未分類かつ未表示の前記広告データの中で最も表示優先度が高い前記広告データを前記分類作業領域に追加表示する、ことを特徴とする。
【０００８】
また、請求項３に記載の発明は、請求項１または請求項２に記載の端末装置であって、前記分類作業画面表示制御部は、前記記憶部に記憶された前記広告データのうち所定数の広告データを前記表示部の前記分類作業領域に重ねて表示させ、前記分類作業領域に表示されている前記広告データに対する分類操作を前記操作受付部が受けた場合に、前記分類操作により分類された前記広告データの表示を前記分類作業領域から削除し、前記記憶部に記憶されている未分類かつ未表示の前記広告データを、表示されている前記広告データよりも重なりが後ろになるように前記分類作業領域に追加表示する、ことを特徴とする。
【０００９】
また、請求項４に記載の発明は、請求項１から請求項３のいずれか１項に記載の端末装置であって、前記分類作業画面表示制御部は、前記広告データそれぞれの前記分類作業領域における初期表示位置をランダムとする、ことを特徴とする。
【００１０】
また、請求項５に記載の発明は、請求項２に記載の端末装置であって、前記分類作業画面表示制御部は、前記分類作業領域に一度に表示させる複数の前記広告データを、当該広告データの前記表示優先度に基づく順序の表示位置に表示する、ことを特徴とする。
【００１１】
また、請求項６に記載の発明は、請求項１から請求項５のいずれか１項に記載の端末装置であって、前記広告データには、広告実施店舗に関する情報を示す表示店舗情報が付加されており、前記分類作業画面表示制御部は、前記分類作業領域に表示されている前記広告データに対する選択操作を前記操作受付部が受けた場合に、前記選択操作により選択された前記広告データに付加されている前記表示店舗情報を前記表示部に表示させる、ことを特徴とする。
【００１２】
また、請求項７に記載の発明は、請求項１から請求項６のいずれか１項に記載の端末装置であって、前記操作受付部が受けた前記分類操作により分類された前記広告データを１つずつ前記表示部に表示させる分類結果表示制御部をさらに備える、ことを特徴とする。
【００１３】
また、上記目的を達成するために、請求項８に記載の発明は、画像を表示する表示部とユーザによる操作を受け付ける操作受付部とを備えた端末装置が実行する広告表示方法であって、受信部が、複数の広告データを受信する受信ステップと、記憶部が、前記受信ステップによって受信された複数の前記広告データを記憶する記憶ステップと、分類作業画面表示制御部が、前記記憶部に記憶された前記広告データのうち所定数の広告データを前記表示部の分類作業領域に表示させ、前記分類作業領域に表示されている前記広告データに対する分類操作を前記操作受付部が受けた場合に、前記分類操作により分類された前記広告データの表示を前記分類作業領域から削除し、前記記憶部に記憶されている未分類かつ未表示の前記広告データを前記分類作業領域に追加表示する表示ステップと、を有することを特徴とする広告表示方法である。
【００１４】
また、上記目的を達成するために、請求項９に記載の発明は、画像を表示する表示部とユーザによる操作を受け付ける操作受付部とを備えたコンピュータを、複数の広告データを受信する受信部、前記受信部によって受信された複数の前記広告データを記憶する記憶部、前記記憶部に記憶された前記広告データのうち所定数の広告データを前記表示部の分類作業領域に表示させ、前記分類作業領域に表示されている前記広告データに対する分類操作を前記操作受付部が受けた場合に、前記分類操作により分類された前記広告データの表示を前記分類作業領域から削除し、前記記憶部に記憶されている未分類かつ未表示の前記広告データを前記分類作業領域に追加表示する分類作業画面表示制御部、として機能させるプログラムである。
【発明の効果】
【００１５】
請求項１、８、及び９の発明によれば、配信された広告データが多い場合でも、ディスプレイには見やすい数の未分類の広告データの画像が分類作業領域に表示されるため、ユーザは、画面のスクロールをすることなく、また、直感的に閲覧対象とするか否かを判断して広告データを分別することが可能となる。
請求項２の発明によれば、広告配信装置が決定した表示優先度の順に広告データの画像を端末装置に表示させることができる。
請求項３の発明によれば、端末装置は、複数の広告データを狭い表示領域によって表示することができる。また、端末装置は、未分類の広告データを追加表示する際、重なりが最も後ろとなるように表示するため、すでに表示していた広告データに対してユーザが分類先を決めていたときにも、その広告データに対してスムーズに分類操作を行うことができる。
請求項４の発明によれば、重なりが下の広告データについても画像が一部表示されるため、重なりが下の広告データに対しても分類操作を行うことが容易となる。
請求項５の発明によれば、端末装置は、一度に表示させる広告データの画像を、広告配信装置が決定した表示優先度に基づいて、例えば、上から順に表示することができる。
請求項６の発明によれば、ユーザは、広告実施店舗に関する情報を、広告データの分類先を判断するための情報として用いることができる。
請求項７の発明によれば、ユーザは、分別を行った広告データを1枚ずつ閲覧することができる。
【図面の簡単な説明】
【００１６】
【図１】本発明の一実施形態である広告配信システムの構成図である。
【図２】広告配信装置１の機能ブロック図の一例である。
【図３】記憶部１１に記憶される情報の一例である。
【図４】広告配信装置１が配信する配信データの一例である。
【図５】端末装置４の機能ブロック図の一例である。
【図６】記憶部４３に記憶される情報の一例である。
【図７】端末装置４の外観を示す模式図である。
【図８】表示画面４０における表示例である。
【図９】広告配信装置１の動作の一例を示すフローチャートである。
【図１０】端末装置４の動作の一例を示すフローチャートである。
【図１１】表示画面４０における表示例である。
【図１２】表示画面４０における表示例である。
【図１３】表示画面４０における表示例である。
【図１４】表示画面４０における表示例である。
【図１５】表示画面４０における表示例である。
【図１６】表示画面４０における表示例である。
【図１７】表示画面４０における表示例である。
【図１８】表示画面４０における表示例である。
【図１９】表示画面４０における表示例である。
【図２０】表示画面４０における表示例である。
【図２１】表示画面４０における表示例である。
【図２２】表示画面４０における表示例である。
【図２３】表示画面４０における表示例である。
【発明を実施するための形態】
【００１７】
以下、本発明の一実施形態について図面を参照して詳細に説明する。
図１は、本実施形態による広告配信システムの構成図である。同図に示すように、広告配信システムは、広告配信会社の広告配信装置１とユーザの端末装置４とをネットワーク９により接続して構成される。ネットワーク９は、例えば、インターネット網である。同図においては、端末装置４を１台のみ示しているが、複数台が接続され得る。
【００１８】
図２は、広告配信装置１の機能ブロック図の一例である。広告配信装置１は、１台または複数台のコンピュータサーバにより実現され、同図に示すように、記憶部１１、送受信部１２、要求受信部１３、検索部１４、表示優先度決定部１５、及び配信部１６を備えて構成される。
【００１９】
記憶部１１は、種々の情報を記憶する。例えば、記憶部１１は、広告主の各店舗を管理する店舗管理情報と、広告データを記憶する。ここでは、広告データは、電子チラシの画像データであるチラシ画像とする。ここで「電子チラシ」とは広告実施店舗が取扱っている商品または提供している役務に関する画像情報、文字情報、および音声情報等を含む電子化された広告宣伝情報を意味するものである。また広告実施店舗毎に開催されるフェアや、キャンペーン情報等、特定の商品や役務に限られない販売促進情報が含まれていてもよい。店舗管理情報には、各店舗の店舗詳細情報、店舗位置情報、検索情報、電子チラシを特定する情報などが含まれる。店舗詳細情報は、店舗に関する詳細な情報であり、例えば、店舗名や住所などが含まれる。店舗位置情報は、店舗の所在地を示す。検索情報は、ユーザに配信する電子チラシを検索する際に用いられる情報である。
【００２０】
送受信部１２は、ネットワーク９を介して端末装置４とデータを送受信する。要求受信部１３は、送受信部１２を介して端末装置４から検索条件が設定された配信要求を受信する。検索部１４は、店舗管理情報の検索情報を参照し、受信した配信要求に設定されている検索条件に合致する店舗を広告配信店舗として特定する。表示優先度決定部１５は、検索部１４が特定した広告配信店舗のチラシ画像の表示優先度を決定する。配信部１６は、広告配信店舗のチラシ画像と、当該チラシ画像について決定された表示優先度の情報を含んだ配信データを生成し、生成した配信データを送受信部１２に出力して端末装置４への配信を指示する。
【００２１】
なお、本実施形態では、広告配信装置１は、要求受信部１３が端末装置４から配信要求を受信したときに配信データを生成して配信するプル型の配信を行う場合について説明するが、要求受信部１３が端末装置４から配信要求を受信した後、所定の時間ごとに配信データを生成して配信するプッシュ型の配信を行ってもよい。
【００２２】
また、チラシ画像には有効期限が設定されていてもよい。この有効期限は、電子チラシを閲覧できる期限を示す情報であり、広告配信装置１の配信部１６は、広告配信店舗のチラシ画像のうち、有効期限に現在日時が含まれるもののみを配信データに含める。
【００２３】
図３は、記憶部１１に記憶される店舗管理情報の一例である。
店舗管理情報は、広告主ＩＤ、広告主、店舗ＩＤ、店舗詳細情報、店舗位置情報、検索情報、チラシ画像ＩＤ等を対応付けた情報を含む。
広告主ＩＤは、広告主を識別するための任意の情報であり、広告主は、電子チラシの配信の依頼主である。店舗ＩＤは、広告主が広告を行う対象としている店舗を識別するための任意の情報である。１つの広告主に対して、１または複数の店舗が対応する。店舗詳細情報は、店舗名や住所などの情報を含む。店舗位置情報は、店舗の所在地を示し、地図上の店舗の位置（座標）でもよく、緯度・経度などでもよい。
【００２４】
検索情報は、ユーザが配信を希望する電子チラシを検索するために参照する情報である。この検索情報の一例としては、例えば、電子チラシの配信先の地域を指定するエリア特定情報、目標物の名称、店舗や商品を分類するカテゴリなどである。
エリア特定情報は、例えば、郵便番号または住所（地域名称、例えば都道府県名・市町村名等でもよい）、あるいは、電話番号の一部の桁を用いることができる。その他にも特定名称、コード等一定の地域を指定できるものであれば上記のものに限られない。また、エリア特定情報に店舗位置情報を用いてもよい。この場合、店舗位置情報で示される店舗所在地から任意の距離範囲（例えば、店舗から１０ｋｍ圏内等）のエリアを電子チラシの配信先の地域とする。
目標物の名称は、例えば、駅名、店舗名等である。
カテゴリは、例えば、店舗を分類するカテゴリである場合には、スーパーマーケットや家電品販売店、食品販売店、飲食店等であり、商品を分類するカテゴリであれば、家電品、食品、家具、生活雑貨などである。
同図においては、検索情報として郵便番号を用いる場合が図示されている。
【００２５】
チラシ画像ＩＤは、チラシ画像を識別する情報である。チラシ画像には、例えば、折り込みチラシとして紙媒体に印刷される画像データや、印刷された折り込みチラシをスキャナによって読み取ったデータを用いることができる。
【００２６】
図４は、配信部１６により生成され、端末装置４に配信される配信データの一例である。配信データは、チラシ画像と、表示優先度と、表示店舗情報とを含む。表示店舗情報は、広告実施店舗に関してユーザに提供する情報であり、例えば、店舗名である。なお、配信データに設定されているチラシ画像の順番を表示優先度として用いてもよい。この場合、表示優先度の情報を省略することができる。
【００２７】
図５は、端末装置４の機能ブロック図の一例である。端末装置４は、例えば、スマートフォンやタブレット端末、パーソナルコンピュータなどのコンピュータ端末であって、図５に示すように、表示画面（表示部）４０、配信要求部４１、送受信部４２、記憶部４３、表示制御部４４、操作受付部４５、分類部４６、及び、計時部４７を備えて構成される。本実施形態では、端末装置４がスマートフォンである場合について説明する。
【００２８】
表示画面４０は、略矩形であって、表示制御部４４の制御に従って、種々の情報を表示する。本実施形態では、表示画面４０は、タッチセンサを配したタッチセンサ画面であって、ユーザによる接触を検知する。
【００２９】
配信要求部４１は、検索条件を設定した広告配信要求を送受信部４２に出力し、広告配信装置１へ送信するよう指示する。
送受信部４２は、ネットワーク９を介して、種々の情報を送受信する。例えば、送受信部４２は、配信要求部４１が送信を指示した広告配信要求を広告配信装置１に送信する。また、送受信部４２は、広告配信要求に対応して広告配信装置１から送信されたチラシ画像の配信データを受信する。
操作受付部４５は、表示画面４０に配されているタッチセンサを介してユーザから種々の操作を受け付ける。
【００３０】
記憶部４３は、種々の情報を記憶する。例えば、記憶部４３は、送受信部４２によって受信された配信データを記憶する。より詳細には、配信データと、この配信データに含まれる各チラシ画像が、未分類、分類済の何れであるかの状態を表す情報とを記憶する。なお、分類済には、ユーザからの指示に応じて表示する可能性があるチラシ画像であることを示す「閲覧必要」と、今後表示する可能性がないチラシ画像であることを示す「閲覧不要」とがある。
【００３１】
図６は、記憶部４３に記憶される情報の一例である。例えば、記憶部４３は、図６（ａ）に示すように、配信データに含まれるチラシ画像、表示優先度、及び表示店舗情報を記憶し、各チラシ画像に、「未分類」「分類済（閲覧必要）」「分類済（閲覧不要）」の何れかの状態を表す情報を対応付けて記憶する。なお、配信データに設定されているチラシ画像の順番を表示優先度として用いる場合、表示優先度の情報を省略することができる。
また、例えば、記憶部４３は、図６（ｂ）に示すように、配信データに含まれるチラシ画像、表示優先度、及び表示店舗情報を、「未分類」「分類済（閲覧必要）」「分類済（閲覧不要）」の何れかの状態毎にグループに分けて記憶してもよい。
【００３２】
未分類のチラシ画像とは、送受信部４２によって受信され、分類部４６によって未だ分類されていないチラシ画像である。閲覧必要のチラシ画像とは、操作受付部４５から入力されるユーザの指示に従い、分類部４６によってユーザにとって有用なもの、即ち、広告内容に興味があって閲覧に値するものに分類されたチラシ画像である。閲覧不要のチラシ画像とは、分類部４６によってユーザにとって無用なもの、即ち、広告内容に興味がなく閲覧に値しないものに分類されたチラシ画像である。なお、分類部４６による分類については後述する。
【００３３】
なお、チラシ画像に有効期限が設定されていた場合、有効期限を過ぎたときに、記憶部４３から消去（削除）してもよい。なお、チラシ画像の消去に関しては後述する。
【００３４】
表示制御部４４は、表示画面４０の表示を制御し、分類作業画面表示制御部４４１、及び分類結果表示制御部４４２を備えて構成される。
【００３５】
分類作業画面表示制御部４４１は、記憶部４３に記憶されたチラシ画像と、そのチラシ画像に対応した表示店舗情報との表示画面４０への表示を制御する。即ち、分類作業画面表示制御部４４１は、未分類のチラシ画像を表示優先度が高い順に表示上限数を超えない数だけ記憶部４３から読み出す。分類作業画面表示制御部４４１は、読み出したチラシ画像を表示画面４０の夫々の表示位置（夫々の表示位置とは、所定の、ランダムに定めた、あるいは、表示優先度に応じた初期位置、又は、初期位置から移動した移動後の位置である）に表示させる。換言すれば、分類作業画面表示制御部４４１は、表示対象の各チラシ画像に対応付けて表示画面４０上の現在の表示位置（初期位置又は移動後の位置）を記憶している。なお、チラシ画像を重ねて表示する場合、初期の重なり順は表示位置とは別に表示優先度に基づいて決定される。
分類作業画面表示制御部４４１は、表示画面４０に複数表示させているチラシ画像の中から操作受付部４５により一のチラシ画像の選択操作を受け、その選択操作を受けたチラシ画像（以下、「選択チラシ画像」と記載する。）の表示位置を移動させる移動操作を受け付けた場合、移動操作に応じて表示画面４０上のチラシ画像の表示位置を移動させる。表示位置の移動先に応じて分類部４６が選択チラシ画像を閲覧必要または閲覧不要に分類した場合、分類作業画面表示制御部４４１は、分類された選択チラシ画像を表示画面４０から消去し、現在表示されているチラシ画像を除いた未分類のチラシ画像のうち表示優先度が最も高いチラシ画像を記憶部４３から読み出して表示画面４０に表示させる。
また、分類作業画面表示制御部４４１は、配信されたチラシ画像の数と、未分類のチラシ画像の数を表示画面４０に表示させる。
【００３６】
分類結果表示制御部４４２は、チラシ画像の分類結果を表示する。分類結果表示制御部４４２は、表示画面４０に、分類されたチラシ画像を１つずつ表示させる。
【００３７】
分類部４６は、操作受付部４５によって受け付けた選択チラシ画像の表示位置の移動先に応じて、チラシ画像を閲覧必要と閲覧不要とに分類する。分類部４６による分類結果は、記憶部４３に反映される。例えば、記憶部４３が、図６（ａ）に示すように、各チラシ画像を「未分類」「閲覧必要」「閲覧不要」の何れかの状態と対応付けて記憶する態様の場合、分類部４６は、ある「未分類」のチラシ画像について、「閲覧必要」に分類したときは、記憶部４３に記憶されている当該チラシ画像の状態を表す情報を「未分類」から「閲覧必要」に更新し、「閲覧不要」に分類したときは記憶部４３に記憶されている当該チラシ画像の状態を表す情報を「未分類」から「閲覧不要」に更新する。
【００３８】
また、記憶部４３が、図６（ｂ）に示すように、各チラシ画像を「未分類」「閲覧必要」「閲覧不要」の何れかの状態毎にグループに分けて記憶する態様の場合、分類部４６は、ある「未分類」のチラシ画像について、「閲覧必要」に分類したときは当該チラシ画像を記憶部４３の「未分類」のグループから「閲覧必要」のグループに分類し、「閲覧不要」に分類したときは当該チラシ画像を記憶部４３の「未分類」のグループから「閲覧不要」のグループに分類する。
【００３９】
計時部４７は、内部のクロックに基づいて計時する。この計時結果に基づいて、有効期限が設定されているチラシ画像は、有効期限を過ぎたときに記憶部４３から消去される。
なお、チラシ画像の消去は、記憶部４３自身が、計時部４７の計時結果に従って、行ってもよいし、計時部４７が行ってもよい。
【００４０】
図７は、端末装置４の外観を示す模式図である。同図を用いて、チラシの分類操作について説明する。同図では、表示画面４０に選択チラシ画像のみを示しており、他のチラシ画像については省略している。
ユーザが、分類作業画面表示制御部４４１により表示画面４０に表示させているチラシ画像の中から一のチラシ画像の表示領域に指で触れた場合、操作受付部４５は、そのチラシ画像を選択した操作として受け付ける。操作受付部４５がこの操作により選択された選択チラシ画像を特定する情報を表示制御部４４に出力すると、分類作業画面表示制御部４４１は、その情報で示される選択チラシ画像に対応した表示店舗情報（例えば、店舗名）を表示画面４０に表示させる。
【００４１】
操作受付部４５は、選択チラシ画像の表示位置を移動させる移動操作を受け付ける。具体的には、ユーザが、表示画面４０上において一のチラシ画像の表示領域に指で触れて選択し、触れたままの状態で指が触れている位置を移動させた場合、操作受付部４５は、タッチセンサを介して、選択チラシ画像に触れたまま指を移動させている旨を認識し、当該選択チラシ画像の表示位置を指の動きに連れて移動させる移動操作として受け付ける。
【００４２】
操作受付部４５は、選択チラシ画像の表示位置を移動させる移動操作を受け付けた場合、移動操作の対象となっている選択チラシ画像を特定する情報と、移動操作の内容を表す情報である移動操作内容を分類作業画面表示制御部４４１及び分類部４６に出力する。ここで、移動操作内容とは、表示画面４０上の移動速度、即ち、移動方向、移動量等である。
【００４３】
分類作業画面表示制御部４４１は、移動操作に応じて選択チラシ画像の表示位置を移動させ、当該選択チラシ画像の少なくとも一部を第１領域上に表示させるように制御したとき、即ち、表示画面４０の第１領域上に当該選択チラシ画像の少なくとも一部が表示されたときに、分類部４６は、当該選択チラシ画像の移動先は第１領域であると判断し、当該選択チラシ画像を第１の画像（閲覧必要）に分類する。
【００４４】
また、分類部４６は、選択チラシ画像の移動先が表示画面４０の第１領域と異なる所定の第２領域（後述）である場合、当該選択チラシ画像を第２の画像（閲覧不要）に分類する。より詳細には、分類作業画面表示制御部４４１が、移動操作に応じて選択チラシ画像の表示位置を移動させ、当該チラシ画像の少なくとも一部を第２領域上に表示させるように制御したとき、分類部４６は、当該選択チラシ画像の移動先は第２領域であると判断し、当該選択チラシ画像を第２の画像（閲覧不要）に分類する。
【００４５】
なお、分類部４６は、移動操作に応じて選択チラシ画像の表示位置を移動させる分類作業画面表示制御部４４１が当該選択チラシ画像の少なくとも一部を第１領域上に表示させるように制御したときではなく、タッチセンサを介して指の動きを認識する操作受付部４５が、選択チラシ画像に触れたまま移動している指の画面上の位置が第１領域上であることを認識したときに、当該選択チラシ画像の移動先は第１領域であると判断し、当該選択チラシ画像を第１の画像（閲覧必要）に分類するようにしてもよい。
選択チラシ画像を第２の画像（閲覧不要）に分類する場合も同様に、分類部４６は、操作受付部４５が、選択チラシ画像に触れたまま移動している指の画面上の位置が第２領域上であることを認識したときに、当該選択チラシ画像の移動先は第２領域であると判断し、当該選択チラシ画像を第２の画像（閲覧不要）に分類するようにしてもよい。
【００４６】
上述の第１領域は、例えば、選択チラシ画像の表示画面４０上の移動範囲を規定する所定の一辺に沿った端部の領域である。また、上述の第２領域は、例えば、選択チラシ画像の表示画面４０上の移動範囲を規定する所定の一辺以外の他の辺に沿った端部の領域である。
【００４７】
例えば、図７において、表示画面４０上のチラシ画像Ｐの移動範囲（領域４０ａ、領域４０ｂ及び領域４０ｃを含む範囲。太枠部分）を規定する所定の一辺Ｒに沿った端部の領域４０ａが、第１領域である。また、図７において、移動範囲（４０ａ、４０ｂ及び４０ｃ）を規定する所定の一辺Ｒ以外の他の辺Ｓ、辺Ｔ、辺Ｕに沿った端部の領域４０ｃが、第２領域である。
なお、図７において、領域４０ｂは、未分類のチラシ画像を表示する分類作業領域である。また、領域４０ｄ、領域４０ｅは、メッセージを表示する領域である。また、この図において、例えば辺Ｒは、左辺に割り当てられている。また辺Ｓが上辺、辺Ｔが右辺、辺Ｕが下辺に割り当てられており、これら３辺に沿って領域４０ｃが割り当てられている。
以下、領域４０ａを第１領域４０ａ、領域４０ｂを分類作業領域４０ｂ、領域４０ｃを第２領域４０ｃ、領域４０ｄをメッセージ表示領域４０ｄとも記載する。
【００４８】
なお、分類作業画面表示制御部４４１は、第１領域上に選択チラシ画像が移動してきたときに、第１領域である旨を明示的に表示するようにしてもよい。つまり、分類作業画面表示制御部４４１は、第１領域上にチラシ画像を表示していないときは第１領域を明示的に表示せずに、第１領域上にチラシ画像を表示しているときに第１領域を明示的に表示するようにしてもよい。
【００４９】
また、分類作業画面表示制御部４４１は、分類部４６によって第１の画像に分類されたチラシ画像を識別する情報を第１領域に表示するようにしてもよい。つまり、分類作業画面表示制御部４４１は、既に「閲覧必要」として記憶部４３に記憶されているチラシ画像を識別する情報（例えば、画像ファイル名、広告店舗名、それらを示すアイコン）を第１領域に表示するようにしてもよい。
【００５０】
続いて、端末装置４において、チラシ画像を分類する画面に至る迄の画面の遷移について説明する。図８は、表示画面４０における表示例である。
端末装置４は、表示制御部４４の制御によってアイコンＥの表示中に（図８の（ｉ））、操作受付部４５によってアイコンＥのタッチを検知した場合、表示制御部４４の制御によってメニュー画面（図８の（ｉｉ））を表示する。メニュー画面には、「今日のチラシを見る」と表示されたボタンＦ、今日のチラシの総数を示すアイコンＧなどが配置されている。
【００５１】
端末装置４は、操作受付部４５によってメニュー画面上のボタンＦのタッチを検知した場合、表示制御部４４の制御によって、チラシ画像のチェック（分類）の開始画面（図８の（ｉｉｉ））を表示する。端末装置４は、操作受付部４５によって開始画面上の「ＯＫ」ボタンのタッチを検知した場合、分類作業画面表示制御部４４１の制御によって、今日のチラシ画像のうち表示優先度の高いものから所定数（同図では３）のチラシ画像をランダムな表示位置に表示したチェック画面（図８の（ｉｖ））を表示する。このとき、分類作業画面表示制御部４４１は、表示優先度の高いチラシ画像ほど重なり順が上になるように表示させる。
【００５２】
また、端末装置４は、上述のメニュー画面（図８の（ｉｉ））から開始画面（図８の（ｉｉｉ））へ遷移に代えて又は加えて、報知画面（図８の（ｖ））から開始画面（図８の（ｉｉｉ））へ遷移させても良い。つまり、端末装置４は、送受信部４２が配信データを受信したときに、表示制御部４４の制御によって、チラシ画像の受信を報知する報知画面を表示し、操作受付部４５によって報知画面上の「みる」ボタンのタッチを検知した場合、開始画面（図８の（ｉｉｉ））を表示するようにしてもよい。
【００５３】
次に、広告配信システムの動作について説明する。
【００５４】
図９は、広告配信装置１の動作の一例を示すフローチャートである。
端末装置４の配信要求部４１は、検索条件を設定した配信要求を送受信部４２に出力し、広告配信装置１への送信を指示する。広告配信装置１の送受信部１２は、ネットワーク９を介して端末装置４から配信要求を受信し、要求受信部１３に出力する（ステップＳ１０５）。プル型の配信を行う場合、要求受信部１３は、配信要求を受信すると直ちに配信要求から検索条件を読み出して検索部１４に出力する。一方、プッシュ型の配信を行う場合、要求受信部１３は、配信要求を記憶部１１に記憶しておき、所定の時間ごとに、記憶部１１に記憶されている配信要求から検索条件を読み出して検索部１４に出力する。なお、検索条件としてユーザ位置情報を用いる場合、ユーザ位置情報は、例えば、端末装置４が備える入力部（非図示）によりユーザが入力した所在地の情報であってもよく、端末装置４が備えるＧＰＳ（Ｇｌｏｂａｌ Ｐｏｓｉｔｉｏｎｉｎｇ Ｓｙｓｔｅｍ）（非図示）が取得した情報であってもよい。
【００５５】
検索部１４は、店舗管理情報の検索情報を参照し、要求受信部１３から入力された検索条件に合致する店舗を広告配信店舗として特定する。例えば、検索条件がユーザ位置情報であり、検索情報に郵便番号を用いる場合、検索部１４は、ユーザ位置情報を郵便番号に変換し、変換した郵便番号が検索情報に含まれる店舗を広告配信店舗として特定する。あるいは、検索部１４は、検索情報が店舗位置情報である場合、ユーザ位置情報と店舗位置情報とから算出した距離が所定以内である店舗を広告配信店舗として特定する（ステップＳ１１０）。
【００５６】
表示優先度決定部１５は、検索部１４が特定した広告配信店舗のチラシ画像ＩＤを店舗管理情報から読み出すと、これらチラシ画像ＩＤにより特定されるチラシ画像の表示優先度を決定する（ステップＳ１１５）。なお、チラシ画像ＩＤに対応付けて配信開始時刻を記憶部１１に記憶しておき、表示優先度決定部１５は、検索部１４が特定した広告配信店舗のチラシ画像ＩＤのうち、配信開始時刻が、配信要求を受信した時刻に基づいて定められる時刻以降のチラシ画像ＩＤを読み出すようにしてもよい。配信要求を受信した時刻に基づいて定められる時刻とは、例えば、配信要求を受信した時刻から所定時間遡った時刻としてもよく、１日を複数の時間帯に区切り、配信要求を受信した時刻が含まれる時間帯に対応して予め決められた時刻としてもよい。また、表示優先度は、各店舗に対応づけられた所定の情報や、チラシ画像に対応づけられた所定の情報に基づいて決定してもよく、ランダムに決定してもよい。
【００５７】
ランダムに表示優先度を決定する場合、表示優先度決定部１５は、例えば、パラメータを用いて発生させた乱数に基づいて順序をランダムに決定する既存の技術を用いてもよい。これにより、同じ検索条件の複数のユーザについて同一のチラシ画像ＩＤが読み出された場合、乱数発生のパラメータとしてユーザのカテゴリを示す情報を用いれば、表示優先度順は、カテゴリが異なるユーザ間では異なるが、同一のカテゴリのユーザについては同じとなる。カテゴリには、郵便番号、地域、性別、年齢(年代）など、任意の情報を用いることができる。カテゴリを示す情報は、端末装置４が配信要求に設定した情報を用いてもよく、配信要求送信元のユーザについて予め記憶部１１に記憶させておいたユーザ情報から読み出してもよく、配信要求あるいはユーザ情報から読み出した情報を加工した情報であってもよい。例えば、検索条件が示す郵便番号、あるいは、検索条件が示す位置情報に対応した郵便番号を、カテゴリを示す情報とすることができる。
【００５８】
配信部１６は、表示優先度決定部１５が読み出したチラシ画像ＩＤそれぞれにより特定されるチラシ画像を記憶部１１から読み出す。配信部１６は、読み出したチラシ画像と、当該チラシ画像について表示優先度決定部１５が決定した表示優先度と、表示店舗情報とを対応付けた配信データを生成する。本実施形態では、表示店舗情報には、記憶部１１に記憶されている店舗管理情報から読み出した広告配信店舗の店舗名が設定されるが、住所など店舗詳細情報内の他の情報をさらに設定してもよい。配信部１６は、さらに配信データにチラシ画像の数を設定すると、配信データを送受信部１２に出力して端末装置４への送信を指示し、送受信部１２は、ネットワーク９を介して端末装置４に配信データを送信する（ステップＳ１２０）。
【００５９】
図１０は、端末装置４の動作の一例を示すフローチャートである。
同図において、端末装置４の送受信部４２が、広告配信装置１から配信データを受信すると、記憶部４３は、受信した配信データに、各チラシ画像の状態を表す情報を付加して記憶する。状態を表す情報には、初期値として未分類が設定される（ステップＳ２０５）。
【００６０】
図８の（ｉ）〜（ｉｉｉ）の画面遷移の後、分類作業画面表示制御部４４１は、記憶部４３から表示優先度が高い順に未分類のチラシ画像を表示上限数まで読み出す（ステップＳ２１０）。分類作業画面表示制御部４４１は、読み出したチラシ画像の表示位置をランダムに決定するとともに、重なり順を表示優先度が高いほど上になるように決定する。分類作業画面表示制御部４４１は、図８（ｉｖ）のように、チラシ画像を優先度に応じた重なり順で、ランダムな位置に配置して表示画面４０の分類作業領域４０ｂに表示する（ステップＳ２１５）。さらに、分類作業画面表示制御部４４１は、表示画面４０のメッセージ表示領域４０ｄに配信されたチラシ画像の数と、未分類のチラシ画像の数を表示するように制御する。分類作業画面表示制御部４４１は、配信されたチラシ画像の数を、配信データから読み出すか、記憶部４３に記憶されているチラシ画像の数をカウントして取得する。また、未分類のチラシ画像の数は、記憶部４３に未分類の状態に対応して記憶されているチラシ画像をカウントすることにより得られる。
【００６１】
操作受付部４５は、図８（ｉｖ）のような画面が表示された表示画面４０上において、一のチラシ画像についての選択操作を受けたか否かを判断する（ステップＳ２２０）。操作受付部４５は、選択操作を受けていないと判断した場合（ステップＳ２２０：ＮＯ）、ステップＳ２２０の処理を繰り返し、選択操作を待つ。
【００６２】
操作受付部４５が、一のチラシ画像についての選択操作を受けたと判断した場合（ステップＳ２２０：ＹＥＳ）、分類作業画面表示制御部４４１は、選択操作を受けた一のチラシ画像、すなわち、選択チラシ画像の向きを、表示画面４０の上下方向と一致するようにし、他のチラシ画像よりも手前に表示する（ステップＳ２２５）。さらに、分類作業画面表示制御部４４１は、選択チラシ画像に対応した表示店舗情報が示す店舗名を表示画面４０のメッセージ表示領域４０ｄに表示する。
【００６３】
操作受付部４５は、選択チラシ画像について表示画面４０の第１領域への移動操作を受け付けたか否かを判断する（ステップＳ２３０）。操作受付部４５が、選択チラシ画像について表示画面４０の第１領域への移動操作を受け付けた場合（ステップＳ２３０：ＹＥＳ）、分類部４６は、未分類として記憶されていた当該選択チラシ画像を、閲覧必要として記憶するように記憶部４３を制御する（ステップＳ２３５）。また、分類作業画面表示制御部４４１は、表示画面４０の分類作業領域４０ｂから当該選択チラシ画像を消去するとともに（ステップＳ２４０）、表示画面４０の第１領域に当該選択チラシ画像を識別する情報を表示するように制御する（ステップＳ２４５）。さらに、分類作業画面表示制御部４４１は、表示画面４０のメッセージ表示領域４０ｄに表示させていた表示店舗情報を消去し、配信されたチラシ画像の数と、未分類のチラシ画像の数を表示するように制御する。
【００６４】
一方、ステップＳ２３０において、操作受付部４５は、選択チラシ画像について表示画面４０の第１領域への移動操作を受け付けなかった場合（ステップＳ２３０：ＮＯ）、操作受付部４５は、当該選択チラシ画像について、表示画面４０の第２領域への移動操作を受け付けたか否かを判断する（ステップＳ２５０）。
【００６５】
ステップＳ２５０において、操作受付部４５が、選択チラシ画像について表示画面４０の第２領域への移動操作を受け付けた場合（ステップＳ２５０：ＹＥＳ）、分類部４６は、未分類として記憶されていた当該選択チラシ画像を、閲覧不要として記憶するように記憶部４３を制御する（ステップＳ２５５）。また、分類作業画面表示制御部４４１は、表示画面４０の分類作業領域４０ｂから当該選択チラシ画像を消去するとともに、表示画面４０のメッセージ表示領域４０ｄに表示させていた表示店舗情報を消去し、配信されたチラシ画像の数と、未分類のチラシ画像の数を表示するように制御する（ステップＳ２６０）。
【００６６】
一方、ステップＳ２５０において、操作受付部４５が選択チラシ画像について表示画面４０の第２領域への移動操作を受け付けなかった場合（ステップＳ２５０：ＮＯ）、ステップＳ２６５に進む。
【００６７】
ステップＳ２４５、ステップＳ２５０（ＮＯ）、ステップＳ２６０に続いて、終了判定部（非図示）は、分類処理を終了するか否かを判断する（ステップＳ２６５）。例えば、未分類のチラシ画像が無くなった場合、ユーザから分類を終了する旨の操作を受け付けた場合に、終了判定部（非図示）は、分類処理を終了するか否かを判断する。終了判定部（非図示）が、分類処理を終了しないと判断した場合（ステップＳ２６５：ＮＯ）、分類作業画面表示制御部４４１は、表示画面４０に現在表示していない未分類のチラシ画像が記憶部４３に記憶されているかを判断する（ステップＳ２７０）。
【００６８】
表示画面４０に現在表示していない未分類のチラシ画像があると判断した場合（ステップＳ２７０：ＹＥＳ）、分類作業画面表示制御部４４１は、表示画面４０に現在表示していない未分類のチラシ画像のうち、最も表示優先度が高いチラシ画像を記憶部４３から読み出す（ステップＳ２７５）。分類作業画面表示制御部４４１は、表示位置をランダムに決定すると、ステップＳ２７５において読み出したチラシ画像を、決定した表示位置に、重なり順が最も下になるように表示画面４０の分類作業領域４０ｂに追加表示し（ステップＳ２８０）、ステップＳ２２０からの処理を繰り返す。なお、ステップＳ２７０において、分類作業画面表示制御部４４１は、表示画面４０に現在表示していない未分類のチラシ画像がないと判断した場合（ステップＳ２７０：ＮＯ）、ステップＳ２２０からの処理を繰り返す。
そして、ステップＳ２６５において、終了判定部（非図示）が、分類処理を終了すると判断したときは（ステップＳ２６５：ＹＥＳ）、本フローチャートは終了する。
【００６９】
続いて、具体例を用いて、図１０に示すフローチャートを更に説明する。図１１〜図１５は、表示画面４０における表示例である。図１１〜図１５は、チラシ画像として画像Ａ、画像Ｂ、画像Ｃ、画像Ｄ、画像Ｅが含まれる配信データを受信した場合のユーザの分類操作を表している。なお、表示上限数が「３」、画像Ａの表示優先度が「１」、画像Ｂの表示優先度が「３」、画像Ｃの表示優先度が「４」、画像Ｄの表示優先度が「２」、画像Ｅの表示優先度が「５」であるとする。
【００７０】
端末装置４の送受信部４２が、図４に示す配信データを広告配信装置１から受信すると、記憶部４３が、図６（ａ）に示すようにデータを記憶する（ステップＳ２０５）。ただし、画像Ａ、画像Ｂ、画像Ｃ、画像Ｄ、画像Ｅとも状態は「未分類」である。
【００７１】
分類作業画面表示制御部４４１は、図８（ｉｖ）に示すように、表示上限数まで、表示優先度が高い順に未分類の画像Ａ、画像Ｄ、画像Ｂを読み出し(ステップＳ２１０）、チェック画面の分類作業領域４０ｂに、表示優先度が高いほど重なり順が上になるように、これらの画像をランダムな初期表示位置に表示する（ステップＳ２１５）。さらに、分類作業画面表示制御部４４１は、「未分類のチラシ画像の数／配信チラシ画像の数」を表す「５／５」をメッセージ表示領域４０ｄに表示する。
【００７２】
ユーザが、表示画面４０における画像Ａの表示領域に指で触れると、操作受付部４５は、画像Ａの選択操作を受け付けたと判断する（ステップＳ２２０：ＹＥＳ）。分類作業画面表示制御部４４１は、図１１（ｉ）に示すように、画像Ａの天地を調整して一番手前に表示し、画像Ａに対応した表示店舗情報（店舗名）をメッセージ表示領域４０ｄに表示する（ステップＳ２２５）。
【００７３】
図１１（ｉｉ）に示すように、操作受付部４５は、画像Ａについて第１領域４０ａへの移動操作を受け付けた場合（ステップＳ２３０：ＹＥＳ）、分類部４６は、未分類として記憶されていた画像Ａを、閲覧必要として記憶するように記憶部４３を制御する（ステップＳ２３５）。分類作業画面表示制御部４４１は、図１１（ｉｉｉ）に示すように、分類作業領域４０ｂから画像Ａを消去するとともに（ステップＳ２４０）、第１領域４０ａに画像Ａを識別する情報（アイコンＩａ）を表示するように制御する（ステップＳ２４５）。さらに、分類作業画面表示制御部４４１は、メッセージ表示領域４０ｄから表示店舗情報を消去し、未分類のチラシ画像の数を「４」に更新したメッセージを表示させるよう制御する。表示画面４０に現在表示していない未分類の画像Ｃ、Ｅが記憶部４３に記憶されているため（ステップＳ２７０：ＹＥＳ）、分類作業画面表示制御部４４１は、その未分類のチラシ画像のうち、最も表示優先度が高い画像Ｃを読み出す（ステップＳ２７５）。分類作業画面表示制御部４４１は、画像Ｃをランダムな表示位置に、重なり順が最も下になるように表示画面４０の分類作業領域４０ｂに追加表示するよう制御する（ステップＳ２８０）。
【００７４】
なお、図１１（ｉｉ）に示すように、分類作業画面表示制御部４４１は、第１領域４０ａ上にチラシ画像が移動してきたときに、第１領域である旨を明示的に表示している（説明の便宜上、明示的に表示している旨を斜線にて表しているが、実際には、斜線を用いて第１領域である旨を表示しなくてもよい。例えば、第１領域を他の領域と異なる色にて表示してもよい）。
【００７５】
続いて、チェック画面の分類作業領域４０ｂに未分類の画像Ｂ、画像Ｃ、画像Ｄが表示されている場合に、ユーザが、表示画面４０における画像Ｂの表示領域に指で触れると、操作受付部４５は、画像Ｂの選択操作を受け付けたと判断する（ステップＳ２２０：ＹＥＳ）。分類作業画面表示制御部４４１は、図１２（ｉ）に示すように、画像Ｂの天地を調整して一番手前に表示し、画像Ｂに対応した表示店舗情報をメッセージ表示領域４０ｄに表示する（ステップＳ２２５）。
【００７６】
図１２（ｉｉ）に示すように、操作受付部４５が、画像Ｂについて表示画面４０の第２領域４０ｃへの移動操作を受け付けた場合（ステップＳ２５０：ＹＥＳ）、分類部４６は、未分類として記憶されていた画像Ｂを、閲覧不要として記憶するように記憶部４３を制御する（ステップＳ２５５）。分類作業画面表示制御部４４１は、図１２（ｉｉｉ）に示すように、分類作業領域４０ｂから画像Ｂを消去するとともに、メッセージ表示領域４０ｄに表示していた表示店舗情報を消去するように制御する（ステップＳ２６０）。さらに、分類作業画面表示制御部４４１は、未分類のチラシ画像の数を「３」に更新したメッセージを表示させるよう制御する。表示画面４０に現在表示していない未分類の画像Ｅが記憶部４３に記憶されているため（ステップＳ２７０：ＹＥＳ）、分類作業画面表示制御部４４１は、その画像Ｅを読み出す（ステップＳ２７５）。分類作業画面表示制御部４４１は、画像Ｅをランダムな表示位置に、重なり順が最も下になるように表示画面４０の分類作業領域４０ｂに追加表示するよう制御する（ステップＳ２８０）。
【００７７】
続いて、チェック画面の分類作業領域４０ｂに未分類の画像Ｃ、画像Ｄ、画像Ｅが表示されている場合に、ユーザが、表示画面４０における画像Ｃの表示領域に指で触れると、操作受付部４５は、画像Ｃの選択操作を受け付けたと判断する（ステップＳ２２０：ＹＥＳ）。分類作業画面表示制御部４４１は、図１３（ｉ）に示すように、画像Ｃの天地を調整して一番手前に表示し、画像Ｃに対応した表示店舗情報をメッセージ表示領域４０ｄに表示する（ステップＳ２２５）。
【００７８】
図１３（ｉｉ）に示すように、操作受付部４５が、画像Ｃについて表示画面４０の第１領域４０ａへの移動操作を受け付けた場合（ステップＳ２３０：ＹＥＳ）、分類部４６は、未分類として記憶されていた画像Ｃを、閲覧必要として記憶するように記憶部４３を制御する（ステップＳ２３５）。分類作業画面表示制御部４４１は、図１３（ｉｉｉ）に示すように、分類作業領域４０ｂから画像Ｃを消去するとともに（ステップＳ２４０）、第１領域４０ａに画像Ｃを識別する情報（アイコンＩｃ）を表示するように制御する（ステップＳ２４５）。さらに、分類作業画面表示制御部４４１は、メッセージ表示領域４０ｄに表示していた表示店舗情報を消去し、未分類のチラシ画像の数を「２」に更新したメッセージを表示させるよう制御する。記憶部４３に記憶されている未分類のチラシ画像が全て表示画面４０に現在表示されているため（ステップＳ２７０：ＮＯ）、操作受付部４５は、操作受付待ちとなる。
【００７９】
なお、図１３（ｉｉ）に示すように、分類作業画面表示制御部４４１は、第１領域４０ａ上にチラシ画像が移動してきたときに、第１領域である旨を明示的に表示するとともに、既に閲覧必要として記憶しているチラシ画像を識別する情報（アイコンＩａ）を第１領域内に表示するように制御する。
【００８０】
続いて、チェック画面の分類作業領域４０ｂに未分類の画像Ｄ、画像Ｅが表示されている場合に、ユーザが、表示画面４０における画像Ｅの表示領域に指で触れると、操作受付部４５は、画像Ｅの選択操作を受け付けたと判断する（ステップＳ２２０：ＹＥＳ）。分類作業画面表示制御部４４１は、図１４（ｉ）に示すように、画像Ｅの天地を調整して一番手前に表示し、画像Ｅに対応した表示店舗情報をメッセージ表示領域４０ｄに表示する（ステップＳ２２５）。
【００８１】
図１４（ｉｉ）に示すように、操作受付部４５が、画像Ｅについて表示画面４０の第１領域４０ａへの移動操作を受け付けた場合（ステップＳ２３０：ＹＥＳ）、分類部４６は、画像Ｅを閲覧必要として記憶するように記憶部４３を制御する（ステップＳ２３５）。分類作業画面表示制御部４４１は、図１４（ｉｉｉ）に示すように、分類作業領域４０ｂから画像Ｅを消去するとともに（ステップＳ２４０）、第１領域４０ａに画像Ｅを識別する情報（アイコンＩｅ）を表示するように制御する（ステップＳ２４５）。さらに、分類作業画面表示制御部４４１は、メッセージ表示領域４０ｄに表示していた表示店舗情報を消去し、未分類のチラシ画像の数を「１」に更新したメッセージを表示させるよう制御する。表示画面４０に現在表示していない未分類のチラシ画像が記憶部４３に記憶されていないため（ステップＳ２７０：ＮＯ）、操作受付部４５は、操作受付待ちとなる。
【００８２】
続いて、チェック画面の分類作業領域４０ｂに未分類の画像Ｄが表示されている場合に、ユーザが、表示画面４０における画像Ｄの表示領域に指で触れると、操作受付部４５は、画像Ｄの選択操作を受け付けたと判断する（ステップＳ２２０：ＹＥＳ）。分類作業画面表示制御部４４１は、図１５（ｉ）に示すように、画像Ｄの天地を調整して表示し、画像Ｄに対応した表示店舗情報をメッセージ表示領域４０ｄに表示する（ステップＳ２２５）。
【００８３】
図１５（ｉｉ）に示すように、操作受付部４５が、画像Ｄについて表示画面４０の第２領域４０ｃへの移動操作を受け付けた場合（ステップＳ２５０：ＹＥＳ）、分類部４６は、未分類として記憶されていた画像Ｄを、閲覧不要として記憶するように記憶部４３を制御する（ステップＳ２５５）。分類作業画面表示制御部４４１は、図１５（ｉｉｉ）に示すように、分類作業領域４０ｂから画像Ｄを消去するとともに、メッセージ表示領域４０ｄに表示していた表示店舗情報を消去するように制御する（ステップＳ２６０）。さらに、分類作業画面表示制御部４４１は、未分類のチラシ画像の数を「０」に更新したメッセージを表示させるよう制御する。未分類のチラシ画像が記憶部４３に記憶されていないため（ステップＳ２６５：ＹＥＳ）、処理を終了する。
【００８４】
以上、端末装置４によれば、表示画面４０に収まる大きさの分類作業領域４０ｂにチラシ画像をランダムに表示するため、画面スクロールなどの操作を行わなくても各チラシ画像の少なくとも一部が表示される。同じ店舗のチラシ画像は、その店舗のロゴを常に使用したり、類似したレイアウト、色合い、文字の種類などを使用することが多いため、ユーザは、自分がよく利用する店舗のチラシ画像であれば、重なりが下のチラシ画像であっても、その見えているチラシ画像の一部の表示から類推し、選択することが可能である。しかし、分類作業領域４０ｂに多くのチラシ画像を表示しすぎてしまうと、重なりがより下のチラシ画像については表示される部分が少なくなり、また、指で触れたときに所望のチラシ画像とは異なるチラシ画像が選択されてしまうなど、選択操作が困難となってしまう。そこで、一度（一斉）に表示するチラシ画像の数を制限し、１つのチラシ画像の分類が終わるごとに次のチラシ画像を追加表示するようにして、重なりが下のチラシ画像に対しても、容易に選択操作ができるようにしている。
また、ユーザは、分類先を判断する際の情報として、店舗名など、選択チラシ画像の広告配信店舗に関する情報を利用することができる。
【００８５】
また、ユーザは、１つのチラシ画像に対して分類作業を行っているときでも、表示画面４０に表示されている他のチラシ画像についてもすでに分類先を決めていることがある。そこで、チラシ画像を追加表示する際には、すでに表示しているチラシ画像よりも下に追加することによって、チラシ画像の追加表示前にすでに表示されていたチラシ画像に対する分類操作をスムーズに行えるようにしている。
【００８６】
また、ユーザは、チラシ画像の表示位置を移動させることによって当該チラシ画像を分類することができるため、紙のチラシを扱うのに近い感覚で、チラシ画像を分別することができる。また、図１１〜図１５に示すように、チラシ画像をゲーム感覚で楽しく、片付けることができる。
【００８７】
また、分類部４６は、チラシ画像の移動先が、領域４０ａ、領域４０ｂ及び領域４０ｃを含む範囲の何れの辺に沿った端部の領域であるかに応じて当該チラシ画像を分類しているため、ユーザは、閲覧必要又は閲覧不要の分類先に応じて、何れかの辺の方向に、チラシ画像を移動させるのみで、チラシ画像を分類できる。従って、例えば、表示画面４０のフォルダなどを表示している閉領域等の特定の領域に移動させるよりも、簡便に、チラシ画像を分類することができる。
【００８８】
なお、上記実施例においては、操作受付部４５は、ユーザが、表示画面４０上において一のチラシ画像の表示領域に指で触れた場合、当該指の操作をチラシ画像の選択操作として受け付け、選択されたチラシ画像の表示領域に指で触れたままの状態で指が触れている位置を移動させた場合、当該指の移動操作を、当該チラシ画像の表示位置の移動操作として受け付けると説明したが、操作受付部４５が移動操作として受け付ける操作はこれに限定されない。
【００８９】
図１６は、表示画面４０における表示例である。例えば、操作受付部４５は、図１６に示すように、表示画面４０上において一のチラシ画像の表示領域をフリックする操作を、当該チラシ画像の表示位置の移動操作として受け付けるようにしてもよい。なお、フリックする操作とは、例えば、弾く、滑らせる、投げる操作である。
【００９０】
なお、フリックの場合、分類作業画面表示制御部４４１は、弾く際に最初にチラシ画像上の指を付けた位置及び当該チラシ画像を弾いて指を離した位置に基づいて算出されるチラシ画像の移動方向と、弾く際の勢い（チラシ画像に与えた加速度）に基づいて算出されるチラシ画像の速さとから、フリック後に移動するチラシ画像（弾かれたチラシ画像）を表示画面４０に表示させるように制御する。なお、弾かれたチラシ画像は、弾かれた後に減速せずに等速運動をするようにしてもよいし、予め定めた摩擦計数に従って徐々に減速、停止するようにしてもよい。
【００９１】
また、分類部４６は、フリック後に移動するチラシ画像の少なくとも一部が、表示画面４０の第１領域上に表示されたときに、当該チラシ画像を第１の画像（閲覧必要）に分類する。また、分類部４６は、フリック後に移動するチラシ画像の少なくとも一部が、表示画面４０の第２領域上に表示されたときに、当該チラシ画像を第２の画像（閲覧不要）に分類する。
【００９２】
また、上記実施例においては、閲覧必要に振り分けるための第１領域は、チラシ画像の移動範囲を規定する左辺に沿った端部の領域であると説明したが、第１領域は当該端部に限定されない。例えば、移動範囲を規定する右辺、上辺、下辺の何れかの辺に沿った端部の領域を第１領域としてもよい。また、移動範囲を規定する何れかの１辺に沿った端部の領域を第１領域とするのではなく、２辺又は３辺に沿った端部の領域を第１領域としてもよい。
【００９３】
また、同様に、上記実施例においては、閲覧不要に振り分けるための第２領域は、チラシ画像の表示画面４０上の移動範囲を規定する３辺（例えば、上辺、右辺、下辺）に沿った端部の領域であると説明したが、第２領域はこれに限定されず、第１領域とする端部以外の端部の全部又は一部を第２領域とすればよい。例えば、移動範囲を規定する上辺に沿った端部の領域を第１領域とした場合、上辺以外の端部である左辺、下辺、右辺の３辺の全部又は一部に沿った端部を第２領域としてもよい。
【００９４】
また、上記実施例においては、分類部４６は操作受付部４５によって受け付けたチラシ画像の表示位置の移動先に応じてチラシ画像を閲覧必要と閲覧不要とに分類すると説明したが、端末装置４は、上述のような、未分類の状態のチラシ画像を分類済の状態にする分類機能に加え、分類済の状態（閲覧必要又は閲覧不要）のチラシ画像を未類済の状態にする分類やり直し機能（リセット機能）を更に備えていてもよい。具体的には、端末装置４が分類やり直し部（非図示）を備え、分類やり直し部は、操作受付部４５を介して受け付けた分類やり直し操作に応じて、分類済の状態のチラシ画像を未類済の状態に戻してもよいし、分類部４６が分類やり直し機能を有し、上述の分類やり直し操作に応じて、分類済の状態のチラシ画像を未類済の状態に戻してもよい。なお、分類済の状態のチラシ画像を未類済の状態に戻したときは、記憶部４３の記憶の状態、及び、表示画面の表示の状態が、分類済の状態から未分類のときの状態に戻る。
【００９５】
続いて、図１１乃至図１５、及び、図１７乃至図１９を用いて、分類結果を参照する画面に関して説明する。図１７乃至図１９は、分類結果表示制御部４４２が表示画面４０に表示させる表示例である。なお、この分類結果を参照する画面の説明において、上述の制限数は４であるものとする。
図１１乃至図１５に示すように、今日のチラシの総数が５（画像Ａ、画像Ｂ、画像Ｃ、画像Ｄ、画像Ｅ）である場合において、画像Ａの分類後に（図１１（ｉｉｉ）の状態において）、領域４０ｅの「チェックしたチラシをみる」がタッチされたときは、分類結果表示制御部４４２は、図１７（ａ）の如く、分類結果を表示画面４０に表示する。
【００９６】
図１７（図１８、図１９も同様）において、領域４０ａ’は、上述の第１領域４０ａと略同一の位置の領域であって、閲覧必要に分類されたチラシ画像（閲覧必要として記憶されたチラシ画像）を識別する情報を表示する領域４０ａ’−１、未分類のチラシ画像（未分類として記憶されたチラシ画像）を識別する情報を表示する領域４０ａ’−２、及び、閲覧不要に分類されたチラシ画像（閲覧不要として記憶されたチラシ画像）を識別する情報を表示する領域４０ａ’−３から構成されている。なお、領域４０ａ’−１、領域４０ａ’−２、領域４０ａ’−３は、互いに異なる色にて表示してもよいし、他の領域との境界を明示してもよい。
【００９７】
図１７（図１８、図１９も同様）において、領域４０ｂ’は、上述の分類作業領域４０ｂと略同一の位置の領域であって、分類結果表示制御部４４２は、閲覧必要に分類されたチラシ画像の１つを領域４０ｂ’に初期表示させる（拡大表示してもよい）。なお、閲覧必要に分類されたチラシ画像が存在しない場合には、分類結果表示制御部４４２は、未分類のチラシ画像、若しくは、閲覧不要に分類されたチラシ画像の１つを領域４０ｂ’に初期表示してもよい。
【００９８】
また、領域４０ｄ’は、上述の領域４０ｄと略同一の位置の領域である。分類結果表示制御部４４２は、領域４０ｂ’に表示されているチラシ画像に対応して記憶部４３に記憶されている表示店舗情報を読み出して領域４０ｄ’に表示する。
【００９９】
図１７（図１８、図１９も同様）において、領域４０ｅ’の「もどる」がタッチされたときは、当該分類結果を参照する画面の表示前の画面に戻る。
【０１００】
従って、画像Ａの分類後に（図１１（ｉｉｉ）の状態において）、「チェックしたチラシをみる」がタッチされたときは、分類結果表示制御部４４２は、記憶部４３に記憶されている各チラシ画像の状態を読み出し、図１７（ａ）の如く、領域４０ａ’−１に、閲覧必要に分類された画像Ａを識別するアイコンＩａを表示し、領域４０ａ’−２に、未分類の画像Ｂ、画像Ｃ、画像Ｄ、画像Ｅを識別するアイコンＩｂ、アイコンＩｃ、アイコンＩｄ、アイコンＩｅを表示する。即ち、分類作業領域４０ｂに表示中の画像Ｂ、画像Ｃ、画像Ｄに加え、非表示中の画像Ｅについても未分類であるため、領域４０ａ’−２にアイコンを表示する。閲覧不要に分類されたチラシ画像は無いため、領域４０ａ’−３には何も表示しない。
また、分類結果表示制御部４４２は、領域４０ｂ’には、領域４０ａ’−１に表示されたアイコンＩａに対応する画像Ａを記憶部４３から読み出し、初期表示する。さらに分類結果表示制御部４４２は、画像Ａの表示店舗情報を読み出して領域４０ｄ’に表示する。
なお、領域４０ａ’−２又は領域４０ａ’−３に表示された他のアイコンがタッチされた場合には、分類結果表示制御部４４２は、初期表示した画像Ａに代えて、タッチされたアイコンに対応するチラシ画像を記憶部４３から読み出して領域４０ｂ’に表示し、領域４０ｂ’に表示させたチラシ画像の表示店舗情報を領域４０ｄ’に表示する。
なお、図１７（ａ）において、領域４０ｅ’の「もどる」がタッチされたときは、当該画面の表示前の画面に戻る。即ち、分類作業画面表示制御部４４１は、図１１（ｉｉｉ）の画面を表示する。図１７（ｂ）、及び、図１８、図１９に記載の他の分類結果を参照する画面についても同様である。
【０１０１】
また、画像Ｂの分類後に（図１２（ｉｉｉ）の状態において）、「チェックしたチラシをみる」がタッチされたときは、分類結果表示制御部４４２は、記憶部４３に記憶されている各チラシ画像の状態を読み出し、図１７（ｂ）の如く、領域４０ａ’−１に、閲覧必要に分類された画像Ａを識別するアイコンＩａを表示し、領域４０ａ’−２に、未分類の画像Ｃ、画像Ｄ、画像Ｅを識別するアイコンＩｃ、アイコンＩｄ、アイコンＩｅを表示し、領域４０ａ’−３に、閲覧不要に分類された画像Ｂを識別するアイコンＩｂを表示する。なお、分類結果表示制御部４４２は、領域４０ｂ’には、領域４０ａ’−１に表示されたアイコンＩａに対応する画像Ａを初期表示する。さらに、分類結果表示制御部４４２は、画像Ａの表示店舗情報を領域４０ｄ’に表示する。他のアイコンがタッチされた場合には、分類結果表示制御部４４２は、初期表示した画像Ａに代えて、タッチされたアイコンに対応するチラシ画像を記憶部４３から読み出して領域４０ｂ’に表示し、領域４０ｂ’に表示させたチラシ画像の表示店舗情報を領域４０ｄ’に表示する。
【０１０２】
また、画像Ｃの分類後に（図１３（ｉｉｉ）の状態において）、「チェックしたチラシをみる」がタッチされたときは、分類結果表示制御部４４２は、記憶部４３に記憶されている各チラシ画像の状態を読み出し、図１８（ａ）の如く、領域４０ａ’−１に、閲覧必要に分類された画像Ａ、画像Ｃを識別するアイコンＩａ、アイコンＩｃを表示し、領域４０ａ’−２に、未分類の画像Ｄ、画像Ｅを識別するアイコンＩｄ、アイコンＩｅを表示し、領域４０ａ’−３に、閲覧不要に分類された画像Ｂを識別するアイコンＩｂを表示する。なお、分類結果表示制御部４４２は、領域４０ｂ’には、領域４０ａ’−１の最上部に表示されたアイコンＩａに対応する画像Ａを初期表示する。さらに、分類結果表示制御部４４２は、画像Ａの表示店舗情報を領域４０ｄ’に表示する。他のアイコンがタッチされた場合には、分類結果表示制御部４４２は、初期表示した画像Ａに代えて、タッチされたアイコンに対応するチラシ画像を領域４０ｂ’に表示し、領域４０ｂ’に表示させたチラシ画像の表示店舗情報を領域４０ｄ’に表示する。
【０１０３】
また、画像Ｄの分類後に（図１５（ｉｉｉ）の状態において）、「チェックしたチラシをみる」がタッチされたときは、分類結果表示制御部４４２は、記憶部４３に記憶されている各チラシ画像の状態を読み出し、図１８（ｂ）の如く、領域４０ａ’−１に、閲覧必要に分類された画像Ａ、画像Ｃ、画像Ｅを識別するアイコンＩａ、アイコンＩｃ、アイコンＩｅを表示し、領域４０ａ’−３に、閲覧不要に分類された画像Ｂ、画像Ｄを識別するアイコンＩｂ、アイコンＩｄを表示する。未分類のチラシ画像は無いため、領域４０ａ’−２には何も表示しない。なお、領域４０ｂ’には、領域４０ａ’−１の最上部に表示されたアイコンＩａに対応する画像Ａを初期表示する。さらに、分類結果表示制御部４４２は、画像Ａの表示店舗情報を領域４０ｄ’に表示する。他のアイコンがタッチされた場合には、分類結果表示制御部４４２は、初期表示した画像Ａに代えて、タッチされたアイコンに対応するチラシ画像を領域４０ｂ’に表示し、領域４０ｂ’に表示したチラシ画像の表示店舗情報を領域４０ｄ’に表示する。
【０１０４】
なお、図１７、図１８に示す例は、閲覧必要に分類されたチラシ画像を識別するアイコン、未分類のチラシ画像を識別するアイコン、及び、閲覧不要に分類されたチラシ画像を識別するアイコンを領域４０ａ’に表示する態様であるが、閲覧必要に分類されたチラシ画像を識別するアイコンのみを領域４０ａ’に表示する態様としてもよい。つまり、例えば、画像Ｂの分類後に（図１２（ｉｉｉ）の状態において）、「チェックしたチラシをみる」がタッチされたときは、分類結果表示制御部４４２は、図１７（ｂ）に代えて、図１９（ａ）の如く、閲覧必要に分類された画像Ａを識別するアイコンＩａのみを表示してもよい。
【０１０５】
また、閲覧必要に分類されたチラシ画像を識別するアイコン、及び、未分類のチラシ画像を識別するアイコンを領域４０ａ’に表示する態様としてもよい。つまり、例えば、画像Ｂの分類後に（図１２（ｉｉｉ）の状態において）、「チェックしたチラシをみる」がタッチされたときは、分類結果表示制御部４４２は、図１７（ｂ）に代えて、図１９（ｂ）の如く、閲覧必要に分類された画像Ａを識別するアイコンＩａ、未分類の画像Ｃ、画像Ｄ、画像Ｅを識別するアイコンＩｃ、アイコンＩｄ、アイコンＩｅを表示してもよい。
【０１０６】
なお、図１７乃至図１９に示す例は、分類結果表示制御部４４２は、領域４０ｅ’に「もどる」を表示しているが、閲覧必要に分類されたチラシ画像の画像数と、うち何番目のチラシ画像を領域４０ｂ’に表示しているかを示す情報を表示してもよい。例えば、図１８（ｂ）の場合、閲覧必要に分類された画像数は３（画像Ａ、画像Ｃ、画像Ｅ）であって１番目の画像Ａを領域４０ｂ’に表示しているため、分類結果表示制御部４４２は、領域４０ｅ’に「１／３」と表示する。また、閲覧必要に分類されたチラシ画像の画像数に代えて、閲覧必要に分類されたチラシ画像、未分類のチラシ画像、閲覧不要に分類されたチラシ画像の合計数を用いてもよい。例えば、図１８（ａ）の場合、合計数は５（画像Ａ、画像Ｃ、画像Ｄ、画像Ｅ、画像Ｂ）であって１番目の画像Ａを領域４０ｂ’に表示しているため、領域４０ｅ’に「１／５」と表示する。
【０１０７】
続いて、分類作業領域４０ｂのチラシ画像の初期表示について説明する。チラシ画像は、所定の、若しくは、ランダムに定める初期位置に表示すると説明し、一例として、図８の（ｉｖ）に示す表示例を示した。他の初期表示の表示例を図２０乃至図２３に示す。図２０乃至図２３は、表示画面４０における表示例である。
即ち、開始画面（図８の（ｉｉｉ））において、「ＯＫ」ボタンがタッチされた場合、図２０（ｉ）の如く、分類作業画面表示制御部４４１は、表示優先度が高い順に表示上限数まで記憶部４３から読み出した未分類のチラシ画像である画像Ａ、画像Ｄ、画像Ｂを、ランダムな位置に向き（表示画面に対するチラシ画像の傾き）を揃えて表示画面４０に表示してもよい。なお、チラシ画像の重なりの順は、チラシ画像の表示優先度順である。そして、例えば、画像Ａが分類された場合、図２０（ｉｉ）の如く、分類作業画面表示制御部４４１は、未表示の未分類のチラシ画像の中で最も表示優先度が高い画像Ｃを、ランダムな位置に向き（表示画面に対するチラシ画像の傾き）を揃えて最も下に表示する。
【０１０８】
また、開始画面（図８の（ｉｉｉ））において、「ＯＫ」ボタンがタッチされた場合、図２１（ｉ）の如く、分類作業画面表示制御部４４１は、表示優先度順が高い順に表示上限数まで記憶部４３から読み出した未分類のチラシ画像である画像Ａ、画像Ｄ、画像Ｂを、ランダムな位置に向き（表示画面に対するチラシ画像の傾き）を揃えて重ならないように表示画面４０に表示してもよい。そして、例えば、画像Ａが分類された場合、図２１（ｉｉ）の如く、分類作業画面表示制御部４４１は、未表示の未分類のチラシ画像の中で最も表示優先度が高い画像Ｃを、ランダムな位置に向き（表示画面に対するチラシ画像の傾き）を揃えて重ならないように表示する。
【０１０９】
また、開始画面（図８の（ｉｉｉ））において、「ＯＫ」ボタンがタッチされた場合、図２２（ｉ）の如く、分類作業画面表示制御部４４１は、表示優先度が高い順に表示上限数まで記憶部４３から読み出した未分類のチラシ画像である画像Ａ、画像Ｄ、画像Ｂを、表示優先度に応じて上から順に向き（表示画面に対するチラシ画像の傾き）を揃えて重ならないように表示画面４０に表示してもよい。そして、例えば、画像Ａが分類された場合、図２２（ｉｉ）の如く、分類作業画面表示制御部４４１は、未表示の未分類のチラシ画像の中で最も表示優先度が高い画像Ｃを読み出して現在表示されている画像Ｄ、画像Ｂに加え、表示優先度に応じて上から順に向き（表示画面に対するチラシ画像の傾き）を揃えて重ならないように表示画面４０に表示する。このように、表示画面４０に一度に表示させる複数のチラシ画像のうち、表示優先度が最も高いチラシ画像を１番上の表示位置に表示し、次に表示優先度が高いチラシ画像を上から２番目の表示位置に表示する、というように、それら複数のチラシ画像を表示優先度に基づく順序の表示位置に表示するようにしてもよい。
【０１１０】
また、開始画面（図８の（ｉｉｉ））において、「ＯＫ」ボタンがタッチされた場合、図２３（ｉ）の如く、分類作業画面表示制御部４４１は、表示優先度が高い順に表示上限数まで記憶部４３から読み出した未分類のチラシ画像である画像Ａ、画像Ｄ、画像Ｂを、少しずつ所定方向にずらしながら、表示優先度に応じた順に重ねて表示画面４０に表示してもよい。そして、例えば、画像Ａが分類された場合、図２３（ｉｉ）の如く、分類作業画面表示制御部４４１は、未表示の未分類のチラシ画像の中で最も表示優先度が高い画像Ｃを読み出して、最も下に重ねて表示画面４０に表示する。
【０１１１】
なお、上記実施例におけるチラシ画像、即ち、分類作業領域４０ｂにおいて分類するチラシ画像は、実際に閲覧するための閲覧用画像データ（以下、「閲覧用画像」と記載する。）であってもよいし、閲覧用画像に対応するサムネイル画像データ（以下、「サムネイル画像」と記載する。）であってもよい。サムネイル画像を分類する態様の場合には、分類結果参照画面（図１７乃至図１９）の領域４０ｂ’に閲覧用画像を表示する。
【０１１２】
以下、サムネイル画像を分類する態様について説明する。広告配信装置１の記憶部１１は、サムネイル画像と閲覧用画像とを対応付けて記憶する。また、店舗管理情報のチラシ画像ＩＤに代えて、サムネイル画像を識別する情報であるサムネイルＩＤを設定する。広告配信装置１は、チラシ画像ＩＤに代えてサムネイルＩＤを用いて図９と同様の処理を行い、配信部１６はチラシ画像に代えてサムネイル画像を配信データに設定し、端末装置４に送信する。
端末装置４は、チラシ画像に代えてサムネイル画像を用い、図１０に示す処理を行う。そのため、端末装置４の分類作業画面表示制御部４４１は、チラシ画像に代えてサムネイル画像を表示画面４０に表示する（図８参照）。なお、端末装置４の送受信部４２は、広告配信装置１から送信された閲覧用画像も受信する（後述）。
【０１１３】
続いて、端末装置４は、ユーザからの指示に応じて、表示画面４０に表示されているサムネイル画像を分類し（図１１乃至図１５参照）、分類結果を記憶する（図６参照）。即ち、端末装置４の操作受付部４５は、分類作業画面表示制御部４４１によって表示画面４０に表示されたサムネイル画像の表示位置を移動させる移動操作を受け付け、分類部４６は、操作受付部４５によって受け付けたサムネイル画像の表示位置の移動先に応じてサムネイル画像を分類する。
【０１１４】
続いて、端末装置４の分類結果表示制御部４４２は、「チェックしたチラシをみる」がタッチされたときは、分類結果参照画面の領域４０ａ’にサムネイル画像を表示する。端末装置４は、分類結果参照画面の領域４０ａ’において、一のサムネイル画像（閲覧必要に分類された一のサムネイル画像、未分類の一のサムネイル画像、若しくは、閲覧不要に分類された一のサムネイル画像）がユーザによって指定（タッチ）されたときは、指定された当該サムネイル画像に対応する閲覧用画像を広告配信装置１に要求する。即ち、端末装置４の操作受付部４５は、分類されたサムネイル画像若しくは未だ分類されていないサムネイル画像のなかから、所望のサムネイル画像の指定操作を受け付ける。端末装置４の分類結果表示制御部４４２は、操作受付部４５によって受け付けたサムネイル画像に対応する閲覧用画像を広告配信装置１に要求する。
広告配信装置１の配信部１６は、端末装置４からの要求に応じて、サムネイル画像に対応した閲覧用画像を記憶部１１から読み出して端末装置４に送信する。端末装置４の送受信部４２は、広告配信装置１から送信された閲覧用画像を受信し、分類結果表示制御部４４２は、分類結果参照画面の領域４０ｂ’に受信した閲覧用画像を表示する。
【０１１５】
なお、端末装置４の分類結果表示制御部４４２は、分類結果参照画面を表示したときに、初期表示として、領域４０ａ’の最上部に表示されたサムネイル画像（図１７乃至図１９の例においてサムネイル画像Ａ）に対応する閲覧用画像を、ユーザからの指定によらずに自動的に、広告配信装置１に要求してもよい。
【０１１６】
なお、広告配信装置１は、閲覧用画像に有効期限を設定し、端末装置４から閲覧用画像を要求された場合に、有効期限をチェックしてもよい。即ち、広告配信装置１の配信部１６は、有効期限内の閲覧用画像については端末装置４に送信し、有効期限を過ぎた閲覧用画像については端末装置４に送信しないようにしてもよい。
【０１１７】
また、端末装置４の分類結果表示制御部４４２は、サムネイル画像がタッチされる都度、広告配信装置１に閲覧用画像を要求するのではなく、広告配信装置１から受信した閲覧用画像を一時記憶しておき、一時記憶している閲覧用画像を表示してもよい。なお、端末装置４の分類結果表示制御部４４２は、閲覧用画像に有効期限が設定されている場合であって端末装置４側において有効期限を保持する場合（例えば、サムネイル画像又は閲覧用画像とともに有効期限情報を広告配信装置１から取得している場合）には、一時記憶している閲覧用画像を表示する際に、有効期限をチェックし、有効期限であれば表示し、そうでなければ表示しないようにしてもよい。また、端末装置４の分類結果表示制御部４４２は、閲覧用画像に有効期限が設定されている場合であって端末装置４側において有効期限を保持しない場合には、一時記憶している閲覧用画像を表示する際に、広告配信装置１に有効期限を問い合わせ、有効期限をチェックしてもよい。
【０１１８】
また、上記実施例においては、端末装置４は、スマートフォンである場合について説明したが、端末装置４がパーソナルコンピュータ、スマートフォンの普及よりも前に普及した携帯電話であり、タッチセンサ画面を有しない場合には、操作受付部４５は、マウス、操作キーなどによって、各種の操作を受け付けるようにしてもよい。
【０１１９】
なお、上記実施形態では、広告配信装置１において表示優先度を決定しているが、端末装置４に表示優先度決定部（不図示）を設け、表示優先度決定部（不図示）がランダムに表示優先度を決定してもよい。
【０１２０】
また、広告配信装置１及び端末装置４の機能を実現するためのプログラムをコンピュータ読み取り可能な記録媒体に記録して、この記録媒体に記録されたプログラムをコンピュータシステムに読み込ませ、実行することにより、上記処理を行ってもよい。なお、ここでいう「コンピュータシステム」とは、ＯＳや周辺機器等のハードウェアを含むものとする。
【０１２１】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを配信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【０１２２】
以上、この発明の実施形態について図面を参照して詳述してきたが、具体的な構成はこの実施形態に限られるものではなく、この発明の要旨を逸脱しない範囲の設計等も含まれる。
【符号の説明】
【０１２３】
１…広告配信装置
１１…記憶部
１２…送受信部
１３…要求受信部
１４…検索部
１５…表示優先度決定部
１６…配信部
４…端末装置
４０…表示部（表示画面）
４１…配信要求部
４２…送受信部
４３…記憶部
４４…表示制御部
４４１…分類作業画面表示制御部
４４２…分類結果表示制御部
４５…操作受付部
４６…分類部
４７…計時部
９…ネットワーク
【図１】
2014178870.tif 000003
【図２】
2014178870.tif 000004
【図３】
2014178870.tif 000005
【図４】
2014178870.tif 000006
【図５】
2014178870.tif 000007
【図６】
2014178870.tif 000008
【図７】
2014178870.tif 000009
【図８】
2014178870.tif 000010
【図９】
2014178870.tif 000011
【図１０】
2014178870.tif 000012
【図１１】
2014178870.tif 000013
【図１２】
2014178870.tif 000014
【図１３】
2014178870.tif 000015
【図１４】
2014178870.tif 000016
【図１５】
2014178870.tif 000017
【図１６】
2014178870.tif 000018
【図１７】
2014178870.tif 000019
【図１８】
2014178870.tif 000020
【図１９】
2014178870.tif 000021
【図２０】
2014178870.tif 000022
【図２１】
2014178870.tif 000023
【図２２】
2014178870.tif 000024
【図２３】
2014178870.tif 000025